(57)【要約】【課題】本発明は、ケーブル被覆除去装置を提供することである。【解決手段】本発明のケーブル被覆除去装置は、互いに直交した頂板及び前板を含む本体と、前記本体の頂板の内側に沿ってスライドすることができるスライダーと、前記前板の内側に沿ってスライドすることができる切断部材と、を備え、前記前板には開口が設けられ、前記切断部材には貫通孔が設けられ、前記貫通孔には刃物が設置され、前記切断部材及び前記スライダーには互いに当接することができる斜面が形成され、ケーブルが前記開口及び前記貫通孔に挿入された場合、前記前板に向かって前記スライダーをスライドすると、前記スライダーは前記切断部材を押圧するので、前記スライダーの斜面および前記切断部材の斜面の相互作用により、前記切断部材は前記頂板から離れる方向に向かって移動して、前記刃物は前記ケーブルの被覆層を剥く。【選択図】図３
2014128192.tif 000002
【特許請求の範囲】
【請求項１】
互いに直交した頂板及び前板を含む本体と、前記本体の頂板の内側に沿ってスライドすることができるスライダーと、前記前板の内側に沿ってスライドすることができる切断部材と、を備え、前記前板には開口が設けられ、前記切断部材には貫通孔が設けられ、前記貫通孔には刃物が設置され、前記切断部材及び前記スライダーには互いに当接することができる斜面が形成され、ケーブルが前記開口及び前記貫通孔に挿入された場合、前記前板に向かって前記スライダーをスライドすると、前記スライダーは前記切断部材を押圧するので、前記スライダーの斜面および前記切断部材の斜面の相互作用により、前記切断部材は前記頂板から離れる方向に向かって移動して、前記刃物は前記ケーブルの被覆層を剥くことを特徴とするケーブル被覆除去装置。
【請求項２】
前記頂板には縦長い貫通スロットが設けられ、前記スライダーの頂部には係合柱が設置され、前記係合柱は前記貫通スロットを貫いて前記スライダーと接合され、且つ前記貫通スロットの長手方向に沿って前記スライダーを移動させることができることを特徴とする請求項１に記載のケーブル被覆除去装置。
【請求項３】
前記ケーブル被覆除去装置は、前記切断部材を原点復帰させる弾性部材をさらに備えることを特徴とする請求項１に記載のケーブル被覆除去装置。
【請求項４】
前記切断部材の底部から延在シートが延在し、前記前板の底部から底板が延在し、前記弾性部材の両端はそれぞれ前記延在シート及び前記底板に当接することを特徴とする請求項３に記載のケーブル被覆除去装置。
【請求項５】
前記弾性部材はスプリングであり、前記底板から突出柱が頂板に向かって延在し、前記弾性部材は前記突出柱を囲むように設置されることを特徴とする請求項４に記載のケーブル被覆除去装置。
【請求項６】
前記頂板の両側には２つの側板が設置され、２つの前記側板の底部から２つの滑板が互いに向かい合って延在し、前記スライダーは２つの前記滑板に支持され且つ２つの前記滑板に沿ってスライドすることを特徴とする請求項１に記載のケーブル被覆除去装置。
【請求項７】
前記切断部材は中空であり、前記切断部材の底部には前記貫通孔に連通した送出口が設けられることを特徴とする請求項１に記載のケーブル被覆除去装置。
【発明の詳細な説明】
【技術分野】
【０００１】
本発明は、ケーブル被覆除去装置に関するものである。
【背景技術】
【０００２】
ケーブルストリッパーは芯線の被覆を剥く工具であり、現在常用のケーブルストリッパーはケーブルの両側で芯線の被覆を切り取るので、操作者があまりにも大きい力を施す場合、芯線に傷をつける又は芯線を切断するかも知らない。
【発明の概要】
【発明が解決しようとする課題】
【０００３】
本発明の目的は、前記課題を解決し、ケーブル内部の芯線を保護して切断されないようにするケーブル被覆除去装置を提供することである。
【課題を解決するための手段】
【０００４】
本発明に係るケーブル被覆除去装置は、互いに直交した頂板及び前板を含む本体と、前記本体の頂板の内側に沿ってスライドすることができるスライダーと、前記前板の内側に沿ってスライドすることができる切断部材と、を備え、前記前板には開口が設けられ、前記切断部材には貫通孔が設けられ、前記貫通孔には刃物が設置され、前記切断部材及び前記スライダーには互いに当接することができる斜面が形成され、ケーブルが前記開口及び前記貫通孔に挿入された場合、前記前板に向かって前記スライダーをスライドすると、前記スライダーは前記切断部材を押圧するので、前記スライダーの斜面および前記切断部材の斜面の相互作用により、前記切断部材は前記頂板から離れる方向に向かって移動して、前記刃物は前記ケーブルの被覆層を剥く。
【発明の効果】
【０００５】
本発明のケーブル被覆除去装置はただケーブルの片側でその被覆層を剥くので、ケーブルに施す力をさらによく制御することができ、ケーブル内部の芯線を保護して切断されないようにする。
【図面の簡単な説明】
【０００６】
【図１】本発明の実施形態に係るケーブル被覆除去装置の立体分解図である。
【図２】図１に示すケーブル被覆除去装置の別の視角から見た図である。
【図３】図１に示すケーブル被覆除去装置の立体組立図である。
【図４】図３に示すケーブル被覆除去装置のＤ−Ｄ線に沿う断面図である。
【発明を実施するための形態】
【０００７】
以下、図面を参照して、本発明の実施形態について説明する。
【０００８】
図１及び図２を参照すると、本発明の実施形態に係るケーブル被覆除去装置は、本体１０と、スライダー２０と、切断部材３０と、２つの弾性部材４０と、を備える。本実施形態において、弾性部材４０はスプリングである。
【０００９】
本体１０は、頂板１１と、頂板１１の前端から下に向かって垂直に延在する前板１２と、前板１２の両側から後に向かって垂直に延在し且つ頂板１１の両側に接続される２つの接続板１３と、前板１２の底部から後に向かって延在し且つ２つの接続板１３の底部の間に接続される底板１４と、２つの接続板１３の上部から別々に後に向かって延在し且つ頂板１１の両側に接続される２つの側板１５と、頂板１１の後端に取り付けられるカバー１６と、を備える。頂板１１の後端に近い箇所には縦長の貫通スロット１１２が設けられる。前板１２の上部には、開口１２２が設けられる。底板１４から２つの突出柱１４１が頂板１１に向かって延在する（図４を参照）。２つの側板１５の底部から２つの滑板１５１が互いに向かい合うように延在する。
【００１０】
スライダー２０の前端には、スライダー２０の頂面近傍から後方且つ下方に向かって斜めに延在する斜面２１が形成される。スライダー２０の頂面における後端に近い箇所には取付孔２２が設けられる。係合柱２３はスライダー２０の取付孔２２に係合することができる。
【００１１】
切断部材３０は楔形であり、中空であり且つその底部には送出口３１が設けられる。切断部材３０の背板は、切断部材３０の前板の上部から後方且つ下方に向かって斜めに延在する斜面３２を形成する。切断部材３０の前板には貫通孔３３が設けられる。切断部材３０の前板の貫通孔３３の内部に刃物３４を設置して、貫通孔３３は上下２つの半円孔に分けられる。切断部材３０の前板の底部から背板に向かって２つの延在シート３５が延在する。
【００１２】
図３及び図４を参照すると、本発明に係るケーブル被覆除去装置を組み立てる場合、突出柱１４１がスプリング４０に囲まれるように、２つのスプリング４０を別々に２つの突出柱１４１に設置する。自然状態で、スプリング４０は突出柱１４１より高い。切断部材３０を本体１０の後端から２つの側板１５の間に差し込むことによって、切断部材３０は２つの滑板１５１に支持される。切断部材３０の前板が本体１０の前板１２の内側に当接するまで、切断部材３０を２つの滑板１５１に沿ってスライドさせて、切断部材３０の２つの延在シート３５を２つのスプリング４０の頂端に当接させ、切断部材３０の刃物３４を本体１０の前板１２の開口１２２に対面させる。スライダー２０を本体１０の後端から２つの側板１５の間に差し込むことによって、スライダー２０は２つの滑板１５１に支持され且つスライダー２０の頂面は頂板１１の内側に当接する。スライダー２０の斜面２１が切断部材３０の斜面３２に当接するまで、スライダー２０を２つの滑板１５１に沿ってスライドさせる。係合柱２３を本体１０の貫通スロット１１２の後端に貫かせてスライダー２０の取付孔２２に係合する。カバー１６を本体１０の頂板１１及び２つの側板１５の後端に固定する。
【００１３】
使用する場合、ケーブル５０を本体１０の前板１２の開口１２２及び貫通孔３３の刃物３４下方の半円孔に挿入する。係合柱２３を前に向かって引っ張ることによって、スライダー２０は前に向かって移動しながら切断部材３０を押圧するので、スライダー２０の斜面２１および切断部材３０の斜面３２の相互作用により、切断部材３０は下へ移動して２つのスプリング４０を弾性変形させ、刃物３４は切断部材３０とともに下へ移動してケーブル５０の被覆層５１を切断し、ケーブル５０を回動させながらケーブル５０の被覆層５１を剥く。係合柱２３を放すと、２つの弾性部材４０は弾性復帰し、切断部材３０及びスライダー２０も原点復帰する。剥かれた被覆層５１は切断部材３０の送出口３１及び本体１０の２つの接続板１３の底部の間から送出される。
【符号の説明】
【００１４】
１０  本体
１１  頂板
１２  前板
１３  接続板
１４  底板
１５  側板
１６  カバー
２０  スライダー
２１、３２  斜面
２２  取付孔
２３  係合柱
３０  切断部材
３１  送出口
３３  貫通孔
３４  刃物
３５  延在シート
４０  スプリング
５０  ケーブル
５１  被覆層
１１２  貫通スロット
１２２  開口
１４１  突出柱
１５１  滑板
【図１】
2014128192.tif 000003
【図２】
2014128192.tif 000004
【図３】
2014128192.tif 000005
【図４】
2014128192.tif 000006